(57)【要約】【課題】  ドライバ等の工具を使用しなくても簡便かつ安全に支柱に台座を取り付けて固定し、かつ、支柱から台座を簡便かつ安全に取り外す。【解決手段】  支柱２側の係止爪３ｎを台座４側の係止孔４ｍに係止させるに際して、支柱２の裏面がロック部材５の突起部５ａ１を押圧することで支柱２の裏面が台座４の合わせ面４ｋａに当接する当接状態となり、この当接状態で支柱２と台座４の少なくとも一方をこれらの回転の中心を中心軸４ｊとして回動させることで、係止爪３ｎを係止孔４ｍに係止させるとともに、ロック部材５の突起部５ａ１が窓部３ｍ１に挿通して施錠する。【選択図】  図２
2010250245.tif 000002
【特許請求の範囲】
【請求項１】
機器本体に装着する支柱と、机上や床上等の接地面にその裏面が接地する所定の厚さの台座とが別体で構成され、前記支柱の裏面を台座の合わせ面に当接させてこれら支柱と台座の少なくとも一方を回動させるようにして係止爪を係止孔に係止させる機器のスタンド構造において、
前記係止爪を係止させる係止孔と、係止した係止爪の動きを封じるロック部材とが、前記支柱又は台座のいずれか一方側に配されるとともに、
前記係止孔に係止する係止爪と、前記ロック部材の突起部を挿通させる窓部とが、前記支柱又は台座のいずれか他方側に配され、
前記係止爪を係止孔に係止させるに際して、前記支柱の裏面がロック部材の突起部を押圧することで前記支柱の裏面が台座の合わせ面に当接する当接状態となり、この当接状態で支柱と台座の少なくとも一方をこれらの回転の中心を中心軸として回動させることで、前記係止爪を係止孔に係止させるとともに、前記ロック部材の突起部が前記窓部に挿通して施錠することを特徴とする機器のスタンド構造。
【請求項２】
前記中心軸の同心円上に前記係止爪と係止孔が配されており、この同心円と対応する同心円上か、又は、この同心円と同一の同心円上に前記ロック部材の突起部と窓部が配されていることを特徴とする請求項１記載の機器のスタンド構造。
【請求項３】
前記係止爪又は係止孔と前記ロック部材の突起部とが近接配置されることを特徴とする請求項２記載の機器のスタンド構造。
【請求項４】
前記係止爪及び前記係止孔が所定間隔で複数配されることを特徴とする請求項２または３記載の機器のスタンド構造。
【請求項５】
前記中心軸を中心とする軸部が前記支柱又は台座のいずれか一方側に形成されるとともに、前記軸部を貫通させる軸孔が前記支柱又は台座のいずれか他方側に形成されることを特徴とする請求項２ないし４のうちいずれか１項記載の機器のスタンド構造。
【請求項６】
前記係止孔とロック部材とが前記支柱側に配されるとともに、前記係止爪と第１の突起部を挿通させる窓部とが前記台座側に配され、
前記ロック部材は、台座の合わせ面から突出する第１の突起部と、第１の突起部の反対側に形成され台座の裏面側に突出する第２の突起部とを有し、
前記支柱の裏面がロック部材の第１の突起部を押圧すると、第２の突起部が第１の突起部と連動し前記台座の裏面から突出することを特徴とする請求項１記載の機器のスタンド構造。
【請求項７】
前記ロック部材は、前記第１の突起部と連動する第３の突起部を合わせ面から突出して設け、この第３の突起部を押圧すると、第１の突起部が前記窓部から外れて開錠されることを特徴とする請求項６記載の機器のスタンド構造。
【請求項８】
前記ロック部材は、前記第１の突起部と連動する第３の突起部を合わせ面から突出して設け、この第３の突起部を押圧すると、第２の突起部が前記台座の裏面から突出することを特徴とする請求項６または７記載の機器のスタンド構造。
【請求項９】
前記支柱の下方側に下方支持部材が設けられ、この下方支持部材に前記第３の突起部を覆うハッチが設けられていることを特徴とする請求項７または８記載の機器のスタンド構造。
【請求項１０】
前記台座の上側に前記支柱の下方側を差し込む窪み部が形成されるとともに、この窪み部の底面が前記台座の合わせ面とされ、
前記支柱の下側に金属プレートが固定されるとともに、この金属プレートの裏面が前記支柱の裏面とされることを特徴とする請求項１記載の機器のスタンド構造。
【請求項１１】
前記金属プレートを第１の金属プレートとし、この第１の金属プレートに前記係止爪と前記窓部が形成され、
前記台座に第２の金属プレートが固定され、この第２の金属プレートに前記係止孔が形成されていることを特徴とする請求項１０項記載の機器のスタンド構造。
【請求項１２】
前記ロック部材が金属製の板バネであり、この板バネに前記第１の突起部が山折りで形成され、前記第２の突起部が第１の突起部に連続して谷折りで形成され、これら突起部が上下動可能に前記第２の金属プレートに片持ち固定されていることを特徴とする請求項１１記載の機器のスタンド構造。
【請求項１３】
前記第３の突起部が前記第２の突起部に連続して山折りで形成され、これら突起部が上下動可能に前記第２の金属プレートに片持ち固定されていることを特徴とする請求項１２記載の機器のスタンド構造。
【請求項１４】
請求項１ないし１３記載の機器のスタンド構造を液晶表示パネルや有機ＥＬ表示パネル等の薄型表示パネルに適用した表示スタンド。
【発明の詳細な説明】
【技術分野】
【０００１】
本発明は、機器本体に装着される支柱に台座を取り付ける機器のスタンド構造及びこのスタンド構造を適用した表示スタンドに関する。
【背景技術】
【０００２】
液晶表示パネルや有機ＥＬ表示パネル等からなる画像表示機器、ＣＤ再生機やスピーカー等のオーディオ機器、照明器具や送風機等のリビング機器は、機能性と装飾性を備えたデザインの機器であり、主に机上や床上に立設配置（接地）して使用される。これらの機器は、機器本体に装着されて当該機器本体を支持する支柱と、支柱を固定する台座からなる。この台座の下部には回転テーブルや回転リング等の回転部材が備わり、机上や床上に接地された機器本体の向きを回転自在とする。以下、本明細書では、機器本体に装着された支柱に台座を取り付ける構造を機器のスタンド構造と称する。
【０００３】
従来、支柱に台座を取り付けるには、例えば金具を台座と支柱の組付け箇所に取り付けてネジ止めするネジ止め構造がある（特許文献１や参考図１９）。また、例えば台座に長方形や十字形等の異形孔を形成し、支柱にこの異形孔に対応した異形突起を形成して（互いに樹脂形成するものが多い）、異形突起を異形孔に押し込み、上記支柱を回動させることで、台座の異形孔周辺部と上記支柱の異形突起を嵌合させる嵌め合い構造がある（特許文献２）。
【０００４】
しかしながら、上述のネジ止め構造は、ネジ金具を台座と支柱の組付け箇所に取り付けるための工具（ドライバやレンチ等）が必要である。また、一度締め付けたネジ金具を取り外すときには、締め付け強度によっては、ネジ穴やネジ金具の一部が欠けたりする問題を有する。他方、上述の嵌め合い構造では、正確な位置で適正な範囲の捻り力で嵌合させなければならず、ある程度の習熟が必要である。また、一度嵌合した支柱を取り外すと異形孔や異形突起の一部が欠けたりして劣化し易い。
【０００５】
また、本願出願人が既に登録した特許文献３では、図２０と図２１に示すように、ビデオモニタは、スタンドヘッド１１に付設するリング状のアダプタ２１と、ビデオモニタの外側ケース３１を介してアダプタ２１と組み合わせるリング状のばね部材２２と、外側ケース３１の前面側からアダプタ２１の前面内周側のリング状の支持リブに固定してばね部材２２を押え込む押えリング２３と、外側ケース３１の前面側に付設して外側ケース３１の開口部を閉じる蓋体３３とを備えてなり、アダプタ２１は、支持リブを介して外側ケース３１を垂直方向に回転可能に支持してスタンドヘッド１１と外側ケース３１とを連通させる（図２０）。そして、アダプタ２１は、係合フック２１ｇ、２１ｇ…を補助部材１２の係合孔１２ａ、１２ａ…に進入させ（図２１）、スリット１２ａ1、１２ａ1…側に回転させることにより（矢印Ｋ３方向）、補助部材１２を介し、一挙動によりスタンドヘッド１１に装着することができる。このときの各係合フック２１ｇは、周方向のガイド部２１ｇ２がスリット１２ａ１に進入し、斜面２１ｇ５、段部２１ｇ４を介してフック部２１ｇ１が補助部材１２を挟み込むことにより、アダプタ２１を外れ止めする。また、アダプタ２１は、このようにして補助部材１２に装着すると、係合凹部２１ｈが補助部材１２の上部に移動し、補助部材１２側のロック片１２ｂが係合凹部２１ｈに後方から弾発的に係合し、ロック片１２ｂを介して回転不能にロックすることができる。図２１（ａ）の一点鎖線は、アダプタ２１を装着する際に、アダプタ２１の回転前における係合凹部２１ｈの位置を示しており、このときのロック片１２ｂは、左右のスリット１２ｂ１、１２ｂ１を介し、アダプタ２１によって後方に押されて退避する。一方、アダプタ２１を取り外すときは、図示しないドライバ等の工具をスリット１１ｃに差し込み、ロック片１２ｂを後方に退避させて係合凹部２１ｈから外し（矢印Ｋ４方向）、アダプタ２１を逆方向に回転させて係合フック２１ｇ、２１ｇ…を係合孔１２ａ、１２ａ…から抜き取る。
なお、特許文献３は、上述の機器本体に装着される支柱に台座を取り付ける構造とは構成部材とその配置、用途等が異なるものであり、ビデオモニタの垂直回転支持機構について本願出願人が出願し実用化した発明である。
【０００６】
しかしながら、特許文献３記載のビデオモニタの垂直回転支持機構では、アダプタ２１を取り外す際には、ドライバ等の工具をスリット１１ｃに差し込み、施錠状態片１２ｂを後方に退避させて係合凹部２１ｈから外さなければならず、ドライバ等の工具と工具のスリット１１ｃへの差込み等の取り扱いに関する知識が必要である。また、一般的な顧客（ユーザ）が、簡便かつ安全にアダプタ２１を取り外すこと（ビデオモニタを取り外すこと）までは想定していない。なお、ばね部材２２は、押えリング２３とともにアダプタ２１に固定されもので、画面の外側ケース３１との関係でロックされるものである。
【先行技術文献】
【特許文献】
【０００７】
【特許文献１】特開２００４−２５８０５５号公報
【特許文献２】特開２００９−３１４８１号公報
【特許文献３】特許第３３４１０６６号公報
【発明の概要】
【発明が解決しようとする課題】
【０００８】
ところで、近年の電気機器等の販売の傾向として、顧客（ユーザ）が、メーカー或いは量販店にスタンド構造の機器を注文すると、台座が取り外された状態で収納されたスタンド構造の機器の梱包箱が顧客の自宅等に配送され、顧客自身が開梱して、台座と機器本体に装着される支柱とを組み立てることが多くなっている。機器が分離された状態で梱包箱内に収納されるのは、梱包箱の容量を小さくすることによって積載効率を上げ、輸送コストや保管コストの削減や梱包箱に使用される梱包部材の削減を図るというメーカー側の目的のためであるが、顧客（ユーザ）の立場からは、機器本体に装着される支柱に台座を簡便かつ安全に取り付けて固定することができるスタンド構造が要望されている。
【０００９】
また、一般家庭やオフィス等で時々行われる引越しやレイアウト変更の際、上述のスタンド構造の機器も移設対象となり得るが、スタンド構造の機器を移設する際には、台座を取り外して、台座と機器本体に装着される支柱とを分離した状態で箱体に収納する等して運搬し、移設先にて再度、機器本体に装着される支柱を台座に組付ける必要がある。一旦箱体に収納するのは、特に液晶表示装置や有機ＥＬ表示装置等の画像表示機器の場合、機器本体の前面表示パネル等が精巧に作製されており、移設の際に衝撃等の外力が表示パネル等に加わることを回避するためであり、また、これらの画像表示機器は、機器本体の重量が台座の重量よりも大きく、重心の位置が高くなっているので、組み立て後の状態で搬送することは、安全性を欠くためである。このため、取り付けはもちろんのこと、機器本体に装着される支柱から台座を簡便かつ安全に取り外すことができるスタンド構造が要望されている。
【００１０】
さらに、機器本体に装着される支柱と台座とを単に嵌合させた状態では、使用中に嵌合状態が外れて機器本体が倒れたりする危険性もあることから、安全性の確保のために上記支柱と台座とが施錠状態（ロック）となり、機器の使用中は施錠状態（ロック）の解除を不可とし、かつ、その施錠状態（ロック）を顧客（ユーザ）が目で確認することができるようなスタンド構造も要望されている。
【００１１】
そこで本発明の目的は、ドライバ等の工具を使用しなくても簡便かつ安全に支柱に台座を取り付けて固定し、かつ、支柱から台座を簡便かつ安全に取り外すことができる機器のスタンド構造及びこのスタンド構造を適用した表示スタンドを提供することにある。
【課題を解決するための手段】
【００１２】
本発明は、機器本体に装着する支柱と、机上や床上等の接地面にその裏面が接地する所定の厚さの台座とが別体で構成され、前記支柱の裏面を台座の合わせ面に当接させてこれら支柱と台座の少なくとも一方を回動させるようにして係止爪を係止孔に係止させる機器のスタンド構造において、前記係止爪を係止させる係止孔と、係止した係止爪の動きを封じるロック部材とが、前記支柱又は台座のいずれか一方側に配されるとともに、前記係止孔に係止する係止爪と、前記ロック部材の突起部を挿通させる窓部とが、前記支柱又は台座のいずれか他方側に配され、前記係止爪を係止孔に係止させるに際して、前記支柱の裏面がロック部材の突起部を押圧することで前記支柱の裏面が台座の合わせ面に当接する当接状態となり、この当接状態で支柱と台座の少なくとも一方をこれらの回転の中心を中心軸として回動させることで、前記係止爪を係止孔に係止させるとともに、前記ロック部材の突起部が前記窓部に挿通して施錠することを特徴とする。
【００１３】
本発明によれば、前記支柱と台座とを組み立てる場合、前記ロック部材の突起部が前記支柱の裏面に当接して下方に動き、次に前記支柱又は台座を回動させると、前記係止爪が係止孔に係止するとともに、前記ロック部材の突起部が前記窓部と対面し上方に動いて（窓部に入り込み）施錠される。つまり、前記支柱の裏面に台座の合わせ面を当接させて回動させるだけの簡単な操作で、前記係止爪が係止孔に係止するとともに、前記ロック部材の突起部が前記窓部に挿通して施錠される。
【００１４】
本発明は、前記中心軸の同心円上に前記係止爪と係止孔が配されており、この同心円と対応する同心円上か、又は、この同心円と同一の同心円上に前記ロック部材の突起部と窓部が配されていることを特徴とする。
【００１５】
本発明によれば、前記支柱又は台座を回動させるときの回転の中心を中心軸とし、この中心軸の同心円上に前記係止爪と係止孔が配されているので、回転方向でスムーズに係止することができる。また前記中心軸の同心円上に前記ロック部材の突起部と窓部が配されているので、回転方向でスムーズに施錠することができる。好ましくは、前記係止爪又は係止孔と前記ロック部材の突起部とが近接配置されることで、前記係止爪の動きを封じる効果的な施錠が僅かな回動動作（回動範囲）で実現することができる。さらに好ましくは、前記係止爪と係止孔が配されている同心円と、前記ロック部材の突起部と窓部が配されている同心円とが同一であることで、同じ回転方向で係止とロックが行なえるとともに、係止された係止爪を外そうとして前記支柱や台座を逆向きに回動させようとしても、同一の同心円上に配された前記ロック部材の突起部と窓部が前記支柱や台座を逆向きに回動させることを阻止するため、前記係止爪の動きを封じる施錠状態がより強固なものとなる。
そして前記係止爪及び前記係止孔が所定間隔で複数配されることで、前記係止爪及び前記係止孔の配置数に応じた確実な係止となる。
【００１６】
本発明としては、前記中心軸を中心とする軸部が前記支柱又は台座のいずれか一方側に形成されるとともに、前記軸部を貫通させる軸孔が前記支柱又は台座のいずれか他方側に形成されることが好ましい。
例えば液晶表示パネルや有機ＥＬ表示パネル等の薄型表示パネルに本発明の機器のスタンド構造を適用した表示スタンドを、初めて手にする顧客（ユーザ）であったとしても、前記軸部を軸孔に貫通させて回動させる一連の自然な動作で、前記係止爪を係止孔に係止させることができる。
【００１７】
本発明としては、前記係止孔とロック部材とが前記支柱側に配されるとともに、前記係止爪と第１の突起部を挿通させる窓部とが前記台座側に配され、前記ロック部材は、台座の合わせ面から突出する第１の突起部と、第１の突起部の反対側に形成され台座の裏面側に突出する第２の突起部とを有し、前記支柱の裏面がロック部材の第１の突起部を押圧すると、第２の突起部が第１の突起部と連動し前記台座の裏面から突出することが好ましい。
【００１８】
例えば液晶表示パネル等からなる画像表示機器は、机上や床上等の接地面に立設配置（接地）して使用される。本発明によれば、前記支柱の裏面がロック部材の第１の突起部を押圧しても、第２の突起部が第１の突起部と連動し前記台座の裏面が接する接地面に当接することで、ロック部材が開錠することがない。特に重量のある画像表示機器等の場合、机上等の接地面に接地させた台座の上に上記機器を組み立てようとすると、誤って上記機器を転倒・落下させて、上記機器を破損させたり、上記機器の荷重が台座にかかって台座を破損させたりする等のおそれがあるため、これを防止するための機能である。
【００１９】
本発明としては、前記ロック部材は、前記第１の突起部と連動する第３の突起部を合わせ面から突出して設け、この第３の突起部を押圧すると、第１の突起部が前記窓部から外れて開錠されることが好ましい。また、第３の突起部を押圧すると、第２の突起部が前記台座の裏面から突出することが好ましい。
本発明によれば、第３の突起部を押すだけの簡単な操作で開錠することができ、第３の突起部の動きを視認できるようになり、ロック部材をバネで構成すれば、第１の突起部が前記窓部から外れるときの動作音によっても施錠状態を確認することができる。そして、前記第３の突起部を押圧すると、第２の突起部が第３の突起部と連動し前記台座の裏面から突出することで、上記機器が立設している状態では、ロック部材が開錠することがない。
さらに、前記支柱の下方側に下方支持部材が設けられ、この下方支持部材に前記第３の突起部を覆うハッチを設けることで、誤ってロック部材を開錠することがなくなる。
【００２０】
本発明としては、前記台座の上側に前記支柱の下方側を差し込む窪み部が形成されるとともに、この窪み部の底面が前記台座の合わせ面とされ、前記支柱の下側に金属プレートが固定されるとともに、この金属プレートの裏面が前記支柱の裏面とされることが好ましい。
本発明によれば、前記台座の上側に前記支柱の下方側を差し込む窪み部が形成されることで、前記支柱を前記台座に取り付けることが容易であり、外観上も好ましい。また、前記支柱の下側に金属プレートが固定されることで、係止と施錠に充分な強度を確保できる。前記金属プレートを第１の金属プレートとし、この第１の金属プレートに前記係止爪と前記窓部が形成され、前記台座に第２の金属プレートが固定され、この第２の金属プレートに前記係止孔が形成されていることで、これら第１と第２の金属プレートをプレス加工すれば、充分な強度のある係止爪と窓部および係止孔をそれぞれの金属プレートに容易に一体的に形成することができる。
【００２１】
本発明は、前記ロック部材が金属製の板バネであり、この板バネに前記第１の突起部が山折りで形成され、前記第２の突起部が第１の突起部に連続して谷折りで形成され、これら突起部が上下動可能に前記第２の金属プレートに片持ち固定されていることを特徴とする。本発明は、前記第３の突起部が前記第２の突起部に連続して山折りで形成され、これら突起部が上下動可能に前記第２の金属プレートに片持ち固定されていることが好ましい。
【００２２】
本発明によれば、金属製の板材を折り曲げ加工した単純な構造でありながら、本発明に不可欠な機械的に上下動する突起部（第１の突起部、第２の突起部、第３の突起部）をプレス加工等により容易に形成することができ、前記支柱と台座の組み付けと取り外しを繰り返しても高い信頼性が得られる。
【００２３】
本発明の機器のスタンド構造を適用した表示スタンドの組み立て方法としては、液晶表示パネルや有機ＥＬ表示パネル等からなる画像表示機器では、これらの画像表示機器をクッションの上に寝かせた状態にする等して、台座を手で持ち、台座を支柱に対して回動させることが好ましい。
画像表示機器に衝撃等の外力が加わることを回避するとともに、画像表示機器の荷重が台座にかかり、合成樹脂製の台座の一部を破損させるような問題を生じさせないためである。
【発明の効果】
【００２４】
本発明によれば、ドライバ等の工具を使用しなくても、機器本体に装着される支柱に台座を簡便に係止させるとともに施錠状態におくことができる。そして、ロック部材の第２の突起部を台座の下方側に突出させることで、台座を机上や床上に接地している状態で、誤って開錠状態となることが防止できる。
他方、前記支柱を台座から取り外す際には、第３の突起部を押圧すれば第１の突起部が窓部から外れるので開錠も容易である。そして、ロック部材の第２の突起部を台座の下方側に突出させることで、台座を接地面から離した状態にしなければ、ロック部材を開錠し、機器本体に装着される支柱から台座を取り外すことができないので、作業者は必ず機器本体を寝かせた状態にする等した後に取り外し作業を行うことになるため、機器本体を転倒・落下させて機器本体や台座を損傷させるおそれもなく、安全な機器の取り外しが可能になる。
本発明のスタンド構造を適用した表示スタンドによれば、設置場所を変更するようなことが度々行なわれても、上記所定の取り付けと取り外し以外はできないので、台座や表示画面を損傷させる事態や、特に大型の表示スタンドの荷重によって作業者に身体の危険が及ぶような事態も防止することもできる。
【図面の簡単な説明】
【００２５】
【図１】本発明を適用した機器のスタンド構造を例示する斜視図である。
【図２】本発明を適用した第１の実施形態の機器のスタンド構造における支柱と台座との取り付け構造を斜め前方から見た分解斜視図である。
【図３】上記実施形態の支柱と台座との取り付け構造を斜め後方から見た分解斜視図である。
【図４】上記実施形態の支柱を示す図であり、（ａ）は支柱の側面図であり、（ｂ）は支柱の底面図である。
【図５】上記実施形態の台座を示す図であり、（ａ）は台座の平面図であり、（ｂ）は台座の底面図である。
【図６】上記実施形態のロック部材を示す図であり、（ａ）はロック部材の平面図であり、（ｂ）はロック部材の側面図であり、（ｃ）はロック部材の底面図である。
【図７】上記実施形態の支柱に台座を取り付けた状態の底面図である。
【図８】上記実施形態の支柱に台座を取り付けて回動させた状態の底面図である。
【図９】上記実施形態のロック部材の開錠状態を示す要部断面図である。
【図１０】上記実施形態のロック部材の施錠状態を示す要部断面図である。
【図１１】本発明を適用した第２の実施形態の機器のスタンド構造における支柱と台座との取り付け構造を前方から見た分解斜視図である。
【図１２】上記実施形態の支柱を示す図であり、（ａ）は支柱の側面図であり、（ｂ）は支柱の底面図である。
【図１３】上記実施形態の台座を示す図であり、（ａ）は台座の平面図であり、（ｂ）は台座の底面図である。
【図１４】上記実施形態の支柱を台座に取り付けた状態を上方側から見た斜視図である。
【図１５】上記実施形態のロック部材を示す図であり、（ａ）はロック部材の平面図であり、（ｂ）はロック部材の側面図であり、（ｃ）はロック部材の底面図である。
【図１６】本発明を適用した第３の実施形態の機器のスタンド構造における支柱の底面図である。
【図１７】上記実施形態の台座の平面図である。
【図１８】上記実施形態の支柱を台座に取り付けた状態を下方側から見た斜視図である。
【図１９】従来の機器のスタンド構造における支柱と台座との取り付け構造を例示する側面図である。
【図２０】従来のビデオモニタの垂直回転支持機構を例示する分解斜視図である。
【図２１】上記ビデオモニタの垂直回転支持機構の要部動作説明図であり、（ａ）は底面図であり、（ｂ）は係合フックとアダプタの関係を示す要部断面図であり、（ｃ）は施錠状態片とスタンドヘッドの関係を示す要部側面図である。
【発明を実施するための形態】
【００２６】
（第１の実施の形態）
本発明を適用した機器のスタンド構造１を例示する斜視図を図１に示す。本発明の第１の実施の形態は、液晶表示装置である機器本体Ｄに支柱２が装着され（符号２ｈは、そのためのネジ穴）、この支柱２と、机上や床上等の接地面にその裏面が接地される台座４とが別体で構成され、これら支柱２を台座４に組付ける機器のスタンド構造１ａである。なお、これら支柱２と台座４とは、梱包箱に収納された状態で販売されるものとして説明する。
【００２７】
前記支柱２は、金属製の骨組みと合成樹脂製の枠からなり、支柱２の上方側が液晶表示装置である機器本体Ｄと着脱自在に装着され、支柱２の下方側には下方支持部材２ｆが一体的に取り付けられている。下方支持部材２ｆは、円盤状を呈し、その下面に第１の金属プレート３がネジ等の固定手段で固定されている（図３を参照）。第１の金属プレート３は、図４（ｂ）に示すように、一方の対向辺が円弧状を呈し他方の対向辺が直線状の金属板であり、直線の対向辺を四角く切り欠くようにして４つの窓部３ｍが形成され、それぞれの窓部３ｍの一辺側から略Ｌ字状の係止爪３ｎが立設している。一枚の略矩形状の第１の金属プレート３に、窓部３ｍ及び係止爪３ｎが、中心軸Ｑ−Ｑを中心とした回動方向（ｃｃｗの矢印方向）に９０度間隔で設けられ、４つの係止爪３ｎの係止方向は、ｃｃｗの矢印方向に概ね揃っている。言い換えると、４つの係止爪３ｎは、中心軸Ｑ−Ｑを中心とした軸対称の配置となっている。そして、所定箇所の１つの窓部３ｍ１に、ロック部材５の第１の突起部５ａ１が挿入され施錠（ロック）される。
【００２８】
第１の金属プレート３の中心には、台座４の軸部４ｊを挿通させる軸孔３ｈが形成される。これらの軸孔３ｈと軸部４ｊとの関係により、機器本体に装着される支柱２の使用の際にも、支柱２又は台座４の軸ブレが生じないようにできるとともに、台座４や支柱２の下方側は、円盤状でなくとも、中心がブレることがなく回動させることができる。このような第１の金属プレート３の加工方法としては、第１の金属プレート３の外形と窓部３ｍと軸孔３ｈが打抜き加工され、係止爪３ｎが折り曲げ加工されることで、第１の金属プレート３と窓部３ｍと軸孔３ｈと係止爪３ｎとが一体的に形成される。そして詳細は後述するが、ロック部材５の第１の突起部５ａ１は、支柱２の裏面に配された第１の金属プレート３の当接エリア３ｓに当接して押下げられ、支柱２や台座４の回転動作により、図４（ｂ）の符号ｃｃｗの矢印方向に回動して、窓部３ｍ１に挿通するようになっている。窓部３ｍ１の側壁の厚みは第１の金属プレート３の厚みであり、この側壁の厚みによってロック部材５の第１の突起部５ａ１が窓部３ｍ１の側壁内から外れないように第１の突起部５ａ１の動きを規制する。なお、台座４の軸部４ｊや上記軸孔３ｈを形成せずに、台座４の円形状の窪み部４ｋに円形状の下方支持部材２ｆを互いの側面を接するように回転させる構成でも良い。かかる場合でも、台座４と支柱２の中心が回転中心軸であることに変わりはない。
【００２９】
円盤状を呈する下方支持部材２ｆには、ハッチ２ｇが取り付けられている（図３）。このハッチ２ｇは、下方支持部材２ｆの円盤状の一部を構成し、円盤状を呈する下方支持部材２ｆの外径を小さくする役割と、後述するロック部材５の第３の突起部５ａ２を押圧することができる窓の役割を果たすもので、ヒンジを介して上方に折り上げるようにして開口する。つまり、ハッチ２ｇを支柱２の側に折り上げることで下方支持部材２ｆの外径が小さくなり、それによって支柱付き機器を梱包する際の厚みを小さくすることができる（図１９に示す符号Ｔ１のサイズを小さくする働きがある）。施錠（ロック）を解除するときは、ハッチ２ｇを上方に跳ね上げるようにして開口すると、第３の突起部５ａ２が第２の露出用窓４ａ２から露出しているが（図５（ａ））、ハッチ２ｇが閉じることで、誤操作により開錠されることを防止する役割も有する。本実施形態のハッチ２ｇは、液晶表示装置Ｄの表示画面が向く側を正面側とすると、その背面側に設けられているが、正面側やその他の位置にも設けることも可能で、この場合は、更に下方支持部材２ｆの外径を小さくできる。
【００３０】
台座４は、所定厚みの円盤形状であり、合成樹脂製の枠体と、台座４の裏面側に固定された第２の金属プレート６と、台座４の裏面側に配されたリング状の回転部材４ｒから構成される。このリング状の回転部材４ｒは、机上や床上に接地された機器本体Ｄの向きを回転自在とする。台座４の上面の中央部には、下方支持部材２ｆを差し込むための円形の窪み部４ｋが形成されている（図５（ａ））。また台座４の裏面（下面）の中央部には、係止爪３ｎやロック部材５が動作可能とする円形の窪み部４ｓが形成されている（図５（ｂ））。なお、下方支持部材２ｆの上面と台座４の上面は、同じ高さに設定されている。
【００３１】
窪み部４ｋの窪み面は、前記支柱の裏面となる第１の金属プレート３の裏面３ｋａを当接させる合わせ面４ｋａとなる。そしてこの合わせ面４ｋａの真下に第２の金属プレート６が重ねられた構成になっており、合わせ面４ｋａと第２の金属プレート６を重ねた状態で、これらを貫通する４つの係止孔４ｍと６ｍが合わさって形成されている。係止孔４ｍと６ｍには、前記Ｌ字状の係止爪３ｎが挿入され、支柱２や台座４の回転動作により、図５（ｂ）の符号ｃｗの矢印方向に回動して、係止孔４ｍと６ｍとで組み合わされた一端側の側壁と接触し係止するようになっている。係止孔４ｍと６ｍとが合わさった側壁の厚みは、台座４の合わせ面４ｋａから第２の金属プレート６の裏面６ｋｂまでの厚みであり、この側壁の厚みによって係止爪３ｎが係止孔４ｍと６ｍとで組み合わされた側壁内から外れないように係止爪３ｎの動きを規制する。
【００３２】
第２の金属プレート６の裏面６ｋｂの側には、係止孔６ｍの近傍にそれぞれ小突起６ｊが形成されており、支柱２や台座４の回転動作により、これらの小突起６ｊがそれぞれ略Ｌ字状の係止爪３ｎに挟まる形となって係止爪３ｎと台座４との係止が確実なものとなり、台座４の厚み方向の寸法差等にともなう支柱２と台座４とのガタツキを解消する。また、第２の金属プレート６の裏面６ｋｂの側には、台座４の回転方向ｃｗがＬＯＣＫの文字と矢印で刻印されている。
【００３３】
台座４の合わせ面４ｋａには、ロック部材５の第１の突起部（突起部）５ａ１を通して突出させる第１の露出用窓４ａ１と、ロック部材５の第３の突起部（突起部）５ａ２を通して突出させる第２の露出用窓４ａ２とが形成されている（図５（ａ））。そして液晶表示装置Ｄの表示画面が向く側を正面側とすると、その背面側に位置する２つの係止孔４ｍと４ｍの間にロック部材５の第１の突起部５ａ１と第３の突起部５ａ２とが位置するように、前記第１と第２の露出用窓部４ａ１，４ａ２とが形成されている。
【００３４】
第２の金属プレート６には、長方形状の穴が形成され、この長方形状の穴にロック部材５が入り込んで上下動作可能となるように片持ち固定で取り付けられている。ロック部材５は、係止爪３ｎと係止孔４ｍ，６ｍとの係止状態を施錠（ロック）するものであり、金属製の板バネである。図６に示す金属製の板バネ５は、第１の突起部５ａ１が山折りで形成され、第２の突起部（下突起）５ｃが第１の突起部５ａ１に連続して谷折りで形成され、第３の突起部５ａ２が第２の突起部５ｃに連続して山折りで形成され、これら突起部が上下動可能となるように、第３の突起部５ａ２と反対側の端の当接エリア５ｓが第２の金属プレート６に、溶接や接着等の接合手段で固定される。なお第３の突起部５ａ２は、指で押圧し易くするため、板バネ５の当接エリア５ｓの面と略平行位置になるまで上下動するように取り付けられている。金属製の板バネ５の材料としては、鋼、ステンレス、リン青銅、ベリリウム銅、アルミニウム、真鍮等が挙げられる。本実施形態によれば、金属製の板材を折り曲げ加工した単純な構造でありながら、本発明に不可欠な機械的に連動する突起部５ａ１，５ａ２と下突起５ｃを形成することが容易であり、金属製の単純な構造であるから繰り返し動作での信頼性も高いものとなる。
第２の突起部（下突起）５ｃは、第３の突起部５ａ２を押圧すると、台座４の裏面から突出するようになっている。すなわち、所定の厚さの台座４の厚さと同じかそれ以上に下方側（裏面側）に突出することで、机上等の接地面Ｅに台座４を接地して上記機器本体Ｄが立設している状態でのロックやその開錠が行なわれないようにする。かかる状態での組み立てや取り外しは、機器本体を転倒・落下させて機器本体や台座を破損させるおそれがあり、好ましくないからである。
【００３５】
本実施形態では、支柱２の裏面３ｋａが台座４の合わせ面４ｋａに当接する当接状態でこれら支柱２または台座４を回動させる回転の中心を中心軸Ｑ−Ｑとして回動させる（図２，３）。そして、中心軸Ｑ−Ｑを中心とする軸部４ｊが台座４の側に形成されるとともに、軸部４ｊを貫通させる軸孔３ｈが支柱２の側に形成される。本実施形態によれば、液晶表示スタンドを初めて手にする顧客（ユーザ）であったとしても、軸部４ｊを軸孔３ｈに貫通させて回動させる一連の自然な動作で、前記係止爪３ｎを係止孔４ｍ，６ｍに係止させることができる。
【００３６】
本実施形態の支柱２は、中心軸Ｑ−Ｑの同心円１ｕ上に４つの係止爪３ｎと１つの窓部３ｍ１と当接エリア３ｓが配されている（図４（ｂ））。台座４は、中心軸Ｑ−Ｑの同心円１ｕ上に４つの係止孔４ｍ，６ｍとロック部材５の第１の突起部５ａ１が配されている（図５（ａ））。つまり、４つの係止爪３ｎと４つの係止孔４ｍ，６ｍ、１つの窓部３ｍ１とロック部材５の第１の突起部５ａ１とは、すべて同一の大きさの同心円１ｕ上に配されている。よって、係止された係止爪３ｎを外そうとして支柱２や台座４を逆向きに回動させようとしても、同一の同心円１ｕ上に配されたロック部材５の第１の突起部５ａ１と窓部３ｍ１とが支柱２や台座４を逆向きに回動させることを阻止する。また、窓部３ｍ１を打抜いて係止爪３ｎを形成したのであるから、両者は近接しており、係止爪３ｎとロック部材５の第１の突起部５ａ１とが近接配置されることとなる。したがって、係止爪３ｎの動きを封じる施錠状態が非常に強固なものとなる。しかも、第１の突起部５ａ１が当接する第１の金属プレート３の当接エリア３ｓと、第１の突起部５ａ１が挿通する窓部３ｍ１とが近接配置されていることで（図４（ｂ））、僅かな回動動作（回動範囲）でロックすることとなる。なお、第２の突起部（下突起）５ｃを台座４の裏面側から引っ張るようにして、台座４の裏面側からでも第１の突起部５ａ１を窓部３ｍ１から外すことも可能である。
【００３７】
次に、本実施形態の機器のスタンド構造を適用した表示スタンドの取り扱い方法を説明する。表示スタンドの組立手順の一例としては、梱包箱に収納された支柱２（機器に予め装着された支柱）と台座４とを取り出して、台座４の窪み部４ｋを支柱２の下方側に差し込むと、軸部４ｊが軸孔３ｈに回動自在に挿通された状態となり、同時に、支柱２の下方支持部材２ｆが台座４の窪み部４ｋに回動自在に取り付けられた状態となり（図７）、台座４を矢印ｃｗ方向に回動させたときに支柱２と台座４の軸ブレが生じない。そして図７の状態から台座４を矢印ｃｗ方向に回動させると図８の状態となり、回転方向でスムーズに係止するとともに施錠される。なお、施錠の際にロック部材５の第１の突起部５ａ１が持ち上がって窓部３ｍ１に挿通されるときに、「カチャッ」という音がして施錠されることがわかり、ロック部材５の第３の突起部５ａ２が第１の突起部５ａ１と連動して持ち上がるので施錠状態を視認することができる。
【００３８】
図９は、図７のＡ−Ａ線断面図であり、ロック部材５の開錠状態を示している。開錠状態では、ロック部材５の第１の突起部５ａ１が第１の金属プレート３の裏面に当接し、ロック部材５の第２の突起部５ｃが台座４の最下面４ｕよりも下方となる。図１０は、図８のＢ−Ｂ線断面図であり、ロック部材５の施錠状態を示している。施錠状態では、ロック部材５の第１の突起部５ａ１が第１の金属プレート３の窓部に挿通し、ロック部材５の第２の突起部５ｃが台座４の最下面４ｕよりも僅かに上方となる。したがって、前記表示スタンドを机上や床上に立設配置（接地）して使用する使用状態では、ロックを解除しようとしても、ロック部材５の第２の突起部５ｃが台座４の裏面が接する接地面Ｅに当接することで、上記表示スタンドが立設している状態では、ロック部材５が開錠することがない。
【００３９】
そして、上記表示スタンドを移設する等の機会に、前記支柱２から台座４を取り外す際には、台座４を接地面Ｅから離し、ロック部材５の第３の突起部５ａ２を押しボタンのように押圧することで、簡便かつ安全にロック部材５を開錠し、図８の状態から台座４を矢印ｃｗの反対方向に回動させると図７の状態となり、スムーズに係止爪３ｎの係止が解けて、支柱２から台座４を取り外すことができる。ここで、台座４を接地面Ｅに接地させた状態で、ハッチ２ｇを上方に跳ね上げ、第３の突起部５ａ２を押圧しても、ロック部材の第２の突起部５ｃがその裏面に突出するために（接地面Ｅを押圧するために）、ロックは解除されず、支柱２から台座４を取り外すことはできない。なお、梱包箱に支柱２を収納するときには、ハッチ２ｇを上方に跳ね上げ、支柱２の厚さを小さくして収納させることとなる。
【００４０】
（第２の実施の形態）
本発明の第２の実施の形態の機器のスタンド構造１ｂは、支柱２の側に３つの係止爪３ｎが中心軸Ｑ−Ｑを中心とした回動方向（ｃｃｗの矢印方向）に１２０度間隔で設けられ、台座４の側に３つの係止孔４ｍが形成される構成である（図１１を参照）。本実施形態の支柱２は、金属製の骨組みと合成樹脂製の枠からなり、支柱２の上方側が液晶表示装置である機器本体Ｄと着脱自在に装着され、支柱２の下方側には第１の金属プレート３がネジ等の固定手段で固定されている。台座４は所定厚みの四角形状であり、合成樹脂製の枠体の中央部が円形状にくり抜かれ、台座４の裏面側に第２の金属プレート６が嵌め込まれて固定されており、第２の金属プレート６の上面６ｋａが台座４の窪み部４ｋの合わせ面となっている。
【００４１】
本実施形態のロック部材５は金属製の板バネであり、第２の金属プレート６と一体的に形成されている。より詳しい加工方法としては、第２の金属プレート６の外形と係止孔６ｍと板バネ５の外周となる三辺が打抜き加工されることで、板バネ５が片持ち固定となり、板バネ５の上下動可能な先端付近を側面視で丸い山状に山折りして第１の突起部５ａ１とするとともに、この板バネ５の先端を側面視で丸い谷状に山折りした第２の突起部５ｃとする（図１５）。第２の金属プレート６と一体的に板バネ５を形成することで、台座４の厚みを薄くすることができるとともに、部品点数や製造工数を削減している。
【００４２】
本実施形態では、中心軸Ｑ−Ｑの同心円３ｕ上に３つの係止爪３ｎ及び係止孔６ｍが配されており、同心円３ｕよりも一回り小さい同心円２ｕ上にロック部材５の第１の突起部５ａ１及び窓部３ｍ１が配されている（図１２（ｂ）、図１３（ａ））。そして、窓部３ｍ１の外側に係止爪３ｎが近接配置されており、係止爪３ｎとロック部材５の第１の突起部５ａ１とが近接配置されることとなる。上記同心円３ｕと同心円２ｕとが同一円ではないため、中心軸Ｑ−Ｑを中心とした回動方向（ｃｃｗの矢印方向）の同じ角度で係止とロックが働くようにすることも可能である。本実施形態では、係止爪３ｎの内側にロック部材５を配する構成であるから、台座４の小型化が容易である。本実施形態では、ロックを解除するために指で押す突起部を第１の突起部５ａ１が兼用している（図１４）。図１４等に示す例では、支柱２側に直接、第１の金属プレート３を固定しているが、上述の第１の実施形態と同様の下方支持部材２ｆやハッチ２ｇを取り付けることは、適宜設計可能である。なお、本実施形態の係止及び施錠の方法は、上述の第１の実施形態と同様であるため、その説明を省略する。
【００４３】
（第３の実施の形態）
本発明の第３の実施の形態の機器のスタンド構造１ｃは、台座４の側に３つの係止爪３ｎが所定間隔で配され、支柱２の側に３つの係止孔４ｍが形成される構成であり、上述の第２の実施形態と係止爪３ｎと窓部３ｍ１、係止孔４ｍと板バネ５の位置関係が反対の配置となっている（図１６、１７）。本実施形態によれば、ロックを解除するために指で押す第１の突起部５ａ１が台座４の裏面側となるため、表示スタンドを机上に載置して使用している状態では、ロックを解除するために指で押す第１の突起部５ａ１を隠すことができる。
【００４４】
以上、本発明は、上述した実施の形態に限定されるものではない。例えば、係止爪は１つ以上あれば係止可能であり、ロック部材を２つ以上配することによって、サイズの大きな台座での施錠をより強固なものとする。このように、本発明は、その趣旨を逸脱しない範囲で適宜変更が可能であることは言うまでもない。
【符号の説明】
【００４５】
１，１ａ，１ｂ，１ｃ    機器のスタンド構造、
１ｕ                    同心円、
２                      支柱、
３                      支柱側の金属プレート（第１の金属プレート）、
３ｎ                    係止爪、
３ｍ１                  窓部、
３ｕ                    同心円、
４ｍ，６ｍ              係止孔、
４                      台座、
４ｕ                    台座の最下面、
５                      ロック部材（板バネ）、
５ａ１                  第１の突起部（突起部、上突起）、
５ａ２                  第３の突起部（上突起）、
５ｃ                    第２の突起部（下突起）、
６                      台座側の金属プレート（第２の金属プレート）、
Ｄ                      機器（機器本体）
【図１】
2010250245.tif 000003
【図２】
2010250245.tif 000004
【図３】
2010250245.tif 000005
【図４】
2010250245.tif 000006
【図５】
2010250245.tif 000007
【図６】
2010250245.tif 000008
【図７】
2010250245.tif 000009
【図８】
2010250245.tif 000010
【図９】
2010250245.tif 000011
【図１０】
2010250245.tif 000012
【図１１】
2010250245.tif 000013
【図１２】
2010250245.tif 000014
【図１３】
2010250245.tif 000015
【図１４】
2010250245.tif 000016
【図１５】
2010250245.tif 000017
【図１６】
2010250245.tif 000018
【図１７】
2010250245.tif 000019
【図１８】
2010250245.tif 000020
【図１９】
2010250245.tif 000021
【図２０】
2010250245.tif 000022
【図２１】
2010250245.tif 000023